(57)【要約】【課題】  洗浄の際に部品を紛失することもなく、使用中の飲料の逆流を防止できる飲料容器用吸飲装置を提供する。【解決手段】  蓋体部２０は硬質の合成樹脂材から成り、吸飲部３０はの軟質の合成樹脂材から成る一体成型品である。ストローＳを吸飲部３０に挿着し、更に吸飲部３０を蓋体部２０に取り付けることにより、吸飲装置１０をペットボトルＢの飲み口Ｂａに装着して使用する。  蓋体部２０の開閉蓋２２を開いた状態で、可撓性を有する吸引管３０ａに口を接して飲料を吸い込むと、ペットボトルＢ内の飲料を飲むことができる。一旦、逆流防止弁３０ｇを通過し吸引管３０ａ内に入った飲料は、逆流防止弁３０ｇによりペットボトルＢ内に逆流することはない。また、使用後には、蓋体部２０から吸飲部３０を取り外して洗浄を行っても、吸飲部３０は一部材から構成されているため、部品を紛失する虞れはない。【選択図】図５
2015160669.tif 000002
【特許請求の範囲】
【請求項１】
吸飲部と蓋体部とから成り、飲料容器の飲み口に装着して使用する飲料容器用吸飲装置であって、前記吸飲部は、前記飲料容器の飲み口に装着し、上方に吸引管を設け下方にストローを取り付けるストロー取付部を設け、内部に前記飲料容器からの飲料に対する逆流防止機構を備えた一体成型品であり、前記蓋体部は前記吸飲部を開閉自在に覆うことを特徴とする飲料容器用吸飲装置。
【請求項２】
前記吸飲部は前記蓋体部の本体部を介して、前記飲料容器の飲み口に装着することを特徴とする請求項１に記載の飲料容器用吸飲装置。
【請求項３】
前記吸飲部は前記吸飲部自体により前記飲料容器の飲み口に装着することを特徴とする請求項１に記載の飲料容器用吸飲装置。
【請求項４】
前記逆流防止機構は前記吸引管と前記ストロー取付部との間に設けたことを特徴とする請求項１〜３の何れか１項に記載の飲料容器用吸飲装置。
【請求項５】
前記逆流防止機構は薄肉部に切込みを形成したことを特徴とする請求項１〜４の何れか１項に記載の飲料容器用吸飲装置。
【請求項６】
前記吸引管は可撓性を有することを特徴とする請求項１〜５の何れか１項に記載の飲料容器用吸飲装置。
【請求項７】
前記吸飲部には前記飲料容器内の空気圧を調整する圧力調整用の孔部を設けたことを特徴とする請求項１〜６の何れか１項に記載の飲料容器用吸飲装置。
【請求項８】
前記蓋体部には閉止時に前記孔部を閉塞する閉止部を設けたことを特徴とする請求項７に記載の飲料容器用吸飲装置。
【請求項９】
前記ストローは市販のストローであることを特徴とする請求項１〜８の何れか１項に記載の飲料容器用吸飲装置。
【発明の詳細な説明】
【技術分野】
【０００１】
本発明は、ペットボトル等の飲料容器の飲み口に取り付けて使用する飲料容器用吸飲装置に関するものである。
【背景技術】
【０００２】
特許文献１には、飲料が入った市販のペットボトルのねじ式の飲み口に螺合して使用する飲料容器用蓋体１が開示されている。
【０００３】
図１３に示すように、飲料容器用蓋体１は開閉蓋２を閉止することにより、連結管３に接続した弾発性を有する吸い口管４を、開閉蓋２内の突起５により折り曲げて収納する。また、一点鎖線で示すように、ワンタッチ操作で開閉蓋２を開けて、弾力により立ち上った吸い口管４に口を付けてペットボトル飲料を吸引できる。
【０００４】
ワンタッチ操作で容易に開閉蓋２を開閉できるこのような飲料容器用蓋体１は、従来のねじ式の蓋体に比べて、スポーツ等の水分補給時の開閉作業が煩わしくなく、ペットボトル内の飲料を簡便な操作で吸い口管４を使って飲用できる。
【０００５】
また、既存のねじ式の蓋では開閉が難しい幼児であっても、開閉蓋４を容易に開閉することが可能である。従って、ジュース等のペットボトルに飲料容器用蓋体１を取り付けて幼児用として使用できる。
【先行技術文献】
【特許文献】
【０００６】
【特許文献１】特開２０００−２３８８２１号公報
【発明の概要】
【発明が解決しようとする課題】
【０００７】
この飲料容器用蓋体１では開閉蓋２の閉止時に、図１３に示すように吸い口管４を折曲することにより飲料の漏れ出しを防止しているが、使用中には飲料の流通に対する規制は全くない。従って、幼児が使用する場合には、吸い口管４から飲料を吸うことが大人のように上手にできないため、唾液や口に含んだ飲料を吸い口管４に戻してしまい、これらがペットボトル内に逆流することがある。
【０００８】
これらの逆流した唾液や飲料から、ペットボトル内の飲料に雑菌が増殖することも考えられ、雑菌が増殖した飲料を再度、幼児が飲むことで腹痛、下痢等の原因にもなる。また、夏季では大人が使用したとしても、吸い口管４を介して逆流した微量の唾液等により、雑菌がペットボトル内に混入して増殖してしまうことがある。更には、開閉蓋２を開いたままペットボトルを横倒しにすると、内部の飲料がこぼれ出る虞れもある。
【０００９】
幼児が飲料容器用蓋体１を使用する場合には、吸い口管４を噛んだりするため、吸い口管４が連結管３から外れてしまい、吸い口管４を誤飲する虞れもある。また、飲料容器用蓋体１は再利用するため、吸い口管４や連結管３を分解して洗浄する際に、吸い口管４や連結管３を紛失してしまうという問題もある。
【００１０】
本発明の目的は、上述の課題を解消し、吸飲部を一体化して成型すると共に、吸飲部内に逆流防止機構を設けたので、洗浄の際に部品を紛失することもなく、また使用中の飲料の逆流を吸飲部の内部で防止できる飲料容器用吸飲装置を提供することにある。
【課題を解決するための手段】
【００１１】
上記目的を達成するための本発明に係る飲料容器用吸飲装置は、吸飲部と蓋体部とから成り、飲料容器の飲み口に装着して使用する飲料容器用吸飲装置であって、前記吸飲部は、前記飲料容器の飲み口に装着し、上方に吸引管を設け下方にストローを取り付けるストロー取付部を設け、内部に前記飲料容器からの飲料に対する逆流防止機構を備えた一体成型品であり、前記蓋体部は前記吸飲部を開閉自在に覆うことを特徴とする。
【発明の効果】
【００１２】
本発明に係る飲料容器用吸飲装置によれば、部品を紛失する虞れがなく、また飲料が不時に飲料容器から流出したり、飲料容器内に逆流することもない。
【図面の簡単な説明】
【００１３】
【図１】実施例１の吸飲装置の分解斜視図である。
【図２】蓋体部の断面斜視図である。
【図３】吸飲部の断面斜視図である。
【図４】吸飲装置をペットボトルに装着し、開閉蓋を閉止した状態の断面図である。
【図５】吸飲装置をペットボトルに装着し、開閉蓋を開放した状態の断面図である。
【図６】実施例２の吸飲装置の斜視図である。
【図７】吸飲部の斜視図である。
【図８】蓋体部に吸飲部を取り付け、開閉蓋を開放した状態の断面図である。
【図９】実施例３の吸飲装置の分解斜視図である。
【図１０】吸飲部の断面斜視図である。
【図１１】吸飲装置をペットボトルに装着し、開閉蓋を閉止した状態の断面図である。
【図１２】吸飲装置をペットボトルに装着し、開閉蓋を開放した状態の断面図である。
【図１３】従来の飲料容器蓋体の開閉蓋を閉止した状態の断面図である。
【発明を実施するための形態】
【００１４】
本発明を図１〜図１２に図示の実施例に基づいて詳細に説明する。
【実施例１】
【００１５】
図１は飲料容器であるペットボトルと、このペットボトルに対して装着する吸飲装置の分解斜視図、図２は蓋体部の断面斜視図、図３は吸飲部の断面斜視図である。
【００１６】
吸飲装置１０はペットボトルＢに対する蓋体部２０と、この蓋体部２０に組み合せて使用する吸飲部３０とから構成されている。蓋体部２０は硬質の合成樹脂材から成り、吸飲部３０はシリコンゴム等の軟質の合成樹脂材の射出成型等による一体成型品とされている。吸飲部３０を蓋体部２０に取り付けた状態で、ストローＳを吸飲部３０に挿着し、更に吸飲装置１０をペットボトルＢに装着して使用する。
【００１７】
蓋体部２０は、吸飲部３０を取り付けると共にペットボトルＢの飲み口Ｂａに装着するための本体部２１と、この本体部２１に開閉自在に取り付けた開閉蓋２２と、本体部２１に取り付け開閉蓋２２を錠止するための錠止部２３とから構成されている。本体部２１は上面が階段状に盛り上った円筒形状であって、一部を吸飲部３０を位置合わせするための直線状に切り欠いた円形の頂面部２１ａを有している。本体部２１の円筒内側面には、ペットボトルＢのねじ部Ｂｂと螺合する内ねじ部２１ｂが形成されている。
【００１８】
本体部２１の頂面部２１ａには、中心に吸飲部３０の吸引管３０ａを挿通する孔部２１ｃと、この孔部２１ｃの近傍に配置され、ペットボトルＢ内の空気圧を調整するための小径の圧力調整孔２１ｄとが穿設されている。
【００１９】
頂面部２１ａの外側の一部にあって、円筒外側面の上端には、開閉蓋２２と連結するために外側に突出した一対の軸部２１ｅが設けられている。開閉蓋２２には、軸部２１ｅを中心に開閉蓋２２を開閉自在とする軸受部２２ａを備え、この軸受部２２ａに連続して椀状の内開閉蓋２２ｂ及びその外側に位置する外開閉蓋２２ｃが連結されている。
【００２０】
軸部２１ｅと軸受部２２ａとはヒンジ機構を構成することにより、開閉蓋２２は開閉自在に本体部２１に保持されている。また、ヒンジ機構には板ばねや捩りコイルばね等の図示しないばね体が用いられており、このばね体により開閉蓋２２は常に開方向に付勢されている。
【００２１】
内開閉蓋２２ｂの内壁面の一部には、ペットボトルＢを倒した際などに、圧力調整孔２１ｄから飲料が漏れることを防止するための突起状の閉止部２２ｄが設けられている。この閉止部２２ｄは開閉蓋２２を閉止状態にした際に、圧力調整孔２１ｄの上部に当接して、圧力調整孔２１ｄを閉塞するように配置されている。
【００２２】
軸受部２２ａの内開閉蓋２２ｂを介した反対側には釦嵌合部２２ｅが配置され、この釦嵌合部２２ｅの端部には係止受部２２ｆが設けられている。本体部２１の軸部２１ｅの反対側の円筒外側面の一部には閉止時に釦嵌合部２２ｅと対向する釦受部２１ｆが設けられている。この釦受部２１ｆは、上方を開放した断面略Ｕ字状の壁部２１ｇと、この壁部２１ｇ内にあって、円筒外側面から外方に向けて配置された突出部２１ｈとを備えている。
【００２３】
錠止部２３は釦受部２１ｆの壁部２１ｇと嵌合する形状とされ、釦受部２１ｆ内には錠止部２３を本体部２１の中心に向けて押圧可能な空隙が設けられている。錠止部２３の上部には開閉蓋２２の係止受部２２ｆに係止する係止鉤部２３ａが設けられている。錠止部２３側の凸部２３ｂと突出部２１ｈの間には圧縮ばね機構が介在され、錠止部２３は常に外方に付勢されている。
【００２４】
吸飲部３０には、吸引管３０ａが設けられ、この吸引管３０ａを支持し、本体部２１の頂面部２１ａの裏面に当接する円板部３０ｂが設けられ、合成樹脂の管体から成る市販の使い捨て又は専用のストローＳを挿入して、取り付けるための円筒状のストロー取付部３０ｃが円板部３０ｂの下方に配置されている。
【００２５】
円板部３０ｂには、上部に円板部３０ｂよりも径が小さく、階段状に高くなり、一部を直線部３０ｄとした円形の本体当接部３０ｅが形成されており、本体当接部３０ｅを本体部２１の頂面部２１ａの下部に、直線部３０ｄにより位置決めして取り付けるようになっている。また、吸飲部３０が本体部２１の所定位置に取り付けられた状態において、圧力調整孔２１ｄと連通する小孔部３０ｆが穿設されている。
【００２６】
吸飲部３０内の吸引管３０ａとストロー取付部３０ｃとの間には、飲物の逆流防止機構として逆流防止弁３０ｇが設けられている。この逆流防止弁３０ｇは薄肉部に吸引管３０ａ側又はストロー取付部３０ｃ側からカッタを挿入して、十字状又は一線状の切込部３０ｈを設けて形成されている。この逆流防止弁３０ｇは予め切り込んだ状態で一体成型してもよいし、また逆流防止弁３０ｇは吸引管３０ａの内部又はその近くであれば、適宜の場所に配置できる。
【００２７】
なお、逆流防止弁３０ｇは吸引管３０ａの先端側に頂部を向けた合掌状、漏斗状の形状であってもよい。頂部を吸引管３０ａ側に配置することにより，ストロー取付部３０ｃ側から吸引管３０ａ側へのみ飲物が流れ、逆流が防止される。
【００２８】
図４はペットボトルＢに吸飲装置１０を固定した状態の断面図であり、蓋体部２０の開閉蓋２２は閉止されている。可撓性を有するストロー取付部３０ｃにストローＳを下方から挿入し、吸飲部３０を本体部２１に取り付け、開閉蓋２２をヒンジ機構の回動により閉止して本体部２１に対し上方から押し込む。これにより、錠止部２３の係止鉤部２３ａが開閉蓋２２の係止受部２２ｆに係合して、開閉蓋２２は閉止状態で錠止される。このような状態で、吸飲装置１０をペットボトルＢのねじ部Ｂｂに本体部２１の内ねじ部２１ｂを螺合することにより装着する。このとき、ストローＳの先端はペットボトルＢの底部にまで達する長さとされている。
【００２９】
このように、開閉蓋２２が閉止した状態では、内開閉蓋２２ｂ内の空隙内に吸引管３０ａが収まるので、外部から雑菌、汚れ等が吸引管３０ａに付着することがなく、吸引管３０ａを衛生的に保つことができる。
【００３０】
この状態で、ペットボトルＢが倒れた程度では、逆流防止弁３０ｇと圧力調整孔２１ｄを閉塞する閉止部２２ｄとにより、ペットボトルＢ内の飲料が吸引管３０ａや圧力調整孔２１ｄからこぼれ出ることはない。
【００３１】
使用に際しては、錠止部２３を指で内側に押圧することで、係止鉤部２３ａが係止受部２２ｆから外れて錠止状態が解除され、開閉蓋２２はヒンジ機構のばねの付勢力により、図５に示すような開状態となる。
【００３２】
開閉蓋２２が開いた状態で、可撓性を有する吸引管３０ａに口を接して吸い込むと、ペットボトルＢ内の飲料を飲むことができる。飲料を吸い込むことにより、減圧したペットボトルＢ内の空気圧は、圧力調整孔２１ｄ及び小孔部３０ｆから外の空気が流入して大気圧と平衡するので、飲料の吸引が困難となることはない。
【００３３】
一旦、逆流防止弁３０ｇを通過し吸引管３０ａ内に入った飲料は、ペットボトルＢ内が一時的に負圧となっても逆流防止弁３０ｇによりペットボトルＢ内に逆流することはない。また、幼児の唾液等が吸引管３０ａ内に流入しても、逆流防止弁３０ｇで塞き止められるので、ペットボトルＢ内に流れ込むこともない。従って、逆流防止弁３０ｇにより唾液等に含まれた雑菌のペットボトルＢ内での増殖を防止できる。
【００３４】
また、蓋体部２０に吸飲部３０を取り付けた後は、吸引管３０ａを噛んだ状態で引き抜こうとしても、吸引管３０ａは円板部３０ｂ、ストロー取付部３０ｃと一体となっているので外れることはない。従って、幼児が使用しても吸引管３０ａを誤飲する虞れもない。
【００３５】
吸飲装置１０の使用後には、吸飲装置１０をペットボトルＢから外し、更に蓋体部２０から吸飲部３０を取り外して分解し、吸飲部３０の洗浄を行うことが好ましい。この際に、吸飲部３０は一部材から構成されているため、部品を紛失する虞れはない。洗浄、乾燥後に再度、別のペットボトルに装着して同様に使用する。なお、このときストローＳは新たなものを用いても、或いは使い続けても何れでもよい。
【実施例２】
【００３６】
図６は実施例２の吸飲装置の斜視図、図７は吸飲部の斜視図、図８は吸飲装置の開閉蓋を開放した状態の断面図である。
【００３７】
吸飲装置４０はペットボトルに対する蓋体部５０と、この蓋体部５０と組み合わせて使用する吸飲部６０とから構成されている。蓋体部５０は硬質の合成樹脂材から成り、吸飲部６０はシリコンゴム等の軟質の合成樹脂材を成型した一体成型品である。
【００３８】
蓋体部５０は、吸飲部６０を取り付けると共に飲み口Ｂａに装着するための略筒状の本体部５１と、この本体部５１に開閉自在に取り付けた開閉蓋５２と、本体部５１の両側に設けた一対の押釦部５３とから構成されている。
【００３９】
本体部５１は中底部５１ａと、略筒状の内側にペットボトルＢのねじ部Ｂｂと螺合する内ねじ部５１ｂが形成されており、中底部５１ａには、吸飲部６０の吸引管６０ａを挿通する孔部５１ｃと、小孔部６０ｅと連通する小径の圧力調整孔５１ｄとが穿設されている。本体部５１の上周面の一部には、一対の軸部５１ｅとが設けられ、本体部５１の上周面の両側に空隙から成る一対の押釦受部５１ｆが設けられている。押釦受部５１ｆの入口部には、係止鉤部５３ａを有する押釦部５３が配置され、圧縮ばね機構が介して押釦部５３は常に外方に付勢されている。
【００４０】
開閉蓋５２には、軸部５１ｅを中心に開閉蓋５２を開閉自在とする軸受部５２ａを備え、この軸受部５２ａに連続して椀状の内開閉蓋５２ｂ及びその外側に位置する外開閉蓋５２ｃが連結されている。開閉蓋５２は軸部５１ｅ、軸受部５２ａを介して開閉自在に本体部５１に保持されている。また、内蓋部５２ｂの内壁面には、突出片５２ｄが設けられている。
【００４１】
吸飲部６０には、先端が斜めに傾斜した吸引管６０ａが設けられ、この吸引管６０ａを支持し、本体部５１の中底部５１ａの裏面に当接する円板部６０ｂが設けられ、ストローＳを取り付けるためのストロー取付部６０ｃが円板部６０ｂの下方に配置されている。吸引管６０ａの根本には、本体部５１に対して位置決めを行うための凸部６０ｄが設けられており、円板部６０ｂに小孔部６０ｅが穿設されている。吸飲部６０内の吸引管６０ａとストロー取付部６０ｃとの間には、実施例１と同様に逆流防止弁６０ｆが配置されている。
【００４２】
開閉蓋５２をヒンジ機構の回動により本体部５１に対し閉止すると、押釦部５３の係止鉤部５３ａが開閉蓋２２の係止縁部５２ｅに係合して、開閉蓋５２は閉止状態で錠止される。このとき、突出片５２ｄは可撓性の吸引管６０ａの側面を押圧し、図１３と同様に吸引管６０ａを「く」の字状に屈曲させる。更に、突出片５２ｄは、吸引管６０ａを屈曲した際に屈曲された吸引管６０ａの一部が圧力調整孔５１ｄの上部に当接して、圧力調整孔５１ｄ及び小孔部６０ｅを閉塞するので、開閉蓋５２を閉止状態にした状態では、吸引管６０ａと圧力調整孔５１ｄから飲料が漏出することはない。
【００４３】
吸引管６０ａを「く」の字状に屈曲させることで、鞄内等でペットボトルＢが上下が逆になっても、吸引管６０ａから飲料の流出を防止できる。また、突出片５２ｄの先端が吸引管６０ａに当接するため、突出片５２ｄには抗菌処理を施すことが好ましい。
【００４４】
開閉蓋５２を開ける場合には、両側の錠止部２３を指で内側に押圧することで、係止鉤部５３ａが係止縁部５２ｅから外れて錠止状態が解除され、屈曲されていた吸引管６０ａが復元する弾性力により、開閉蓋５２は開放される。
【００４５】
なお、吸飲装置４０では、両側の係止縁部５２ｅ及び一対の押釦部５３により開閉蓋５２の錠止及び錠止解除を行っているが、実施例１の吸飲装置１０のように１個所における錠止機構を採用してもよい。
【実施例３】
【００４６】
図９は実施例３のペットボトルと吸飲装置との分解斜視図、図１０は吸飲部の断面斜視図、図１１は吸飲装置をペットボトルに装着した状態の断面図である。吸飲装置７０は、ペットボトルＢに対する蓋体部８０と、この蓋体部８０と組み合わせて使用する吸飲部９０とから構成されている。更に、蓋体部８０は蓋部８１と円環部８２とから成っている。
【００４７】
蓋部８１、円環部８２は硬質の合成樹脂材から成り、吸飲部９０は軟質の合成樹脂材から成る一体成型品である。蓋部８１は椀状の外蓋部８１ａと、一対の軸受部８１ｂとから構成され、円環部８２は円環本体８２ａと、軸部８２ｂとから構成されている。
【００４８】
吸飲部９０は略円筒状であり、吸引管９０ａが上方に向けて円板部９０ｂの中央部から起立している。また、円板部９０ｂの中央下方側には円筒状のストロー取付部９０ｃが設けられており、吸引管９０ａの近傍には小孔部９０ｄが穿孔されている。吸飲部９０内の吸引管９０ａとストロー取付部９０ｃとの間には、逆流防止弁９０ｅが配置されている。
【００４９】
円板部９０ｂと連続する側筒部９０ｆの外側面の上部には、環状溝部９０ｇが形成されており、側筒部９０ｆの上方の内側面には、ペットボトルＢのねじ部Ｂｂの外径と略一致する径を有するキャップ保持部９０ｈが設けられている。
【００５０】
吸飲部９０は単一の例えばシリコンゴムによる射出成型以外の方法で製造してもよい。なお、これは実施例１、２においても同様である。また、例えば吸引管９０ａのストロー取付部９０ｃはエラストマ製とし、円板部９０ｂ及び側筒部９０ｆは硬質の合成樹脂製による二色成形によって一体に製造することもできる。
【００５１】
なお、側筒部９０ｆを硬質材料とした場合には、キャップ保持部９０ｈに代えて、側筒部９０ｆの下方の内側面にペットボトルＢのねじ部Ｂｂと螺合する内ねじ部を形成することが好ましい。また、軟質の合成樹脂材から成る吸飲部９０であっても、キャップ保持部９０ｈに代えて、内ねじ部を形成してもよい。
【００５２】
図１１に示すように、吸飲部９０に円環部８２を介して蓋部８１を取り付け、ペットボトルＢに対して吸飲装置７０を固定し、蓋部８１を閉止する。これにより、シリコンゴム等の柔らかい素材から成るキャップ保持部９０ｈは、或る程度伸縮可能であるため、飲み口Ｂａの径が異なるペットボトルＢに対しても柔軟に装着させることができる。
【００５３】
軸部８２ｂと軸受部８１ｂによるヒンジ機構により蓋部８１を開閉自在に連結した円環部８２の円環本体８２ａを、吸飲部９０の環状溝部９０ｇに嵌め込むことにより、円環部８２を吸飲部９０に固定する。
【００５４】
吸飲部９０の側筒部９０ｆの内径と円板部９０ｂの外径は略一致しており、蓋部８１の外蓋部８１ａを円板部９０ｂの外周に当接した後に指で押し込むと、外蓋部８１ａが円板部９０ｂの外側に嵌まり込んで、蓋体部８０は閉止状態となりこの閉止状態が維持される。
【００５５】
飲料を吸飲する際には、指で外蓋部８１ａを上方に引き上げることで、図１２に示すように蓋体部８０は開放状態となる。ヒンジ機構にはばね体を設けていないが、実施例１と同様にばね体を設けてもよい。ばね体を用いることにより、外蓋部８１ａを円板部９０ｂから外すと、蓋体部８０は自動的に開放状態となる。
【００５６】
また、外蓋部８１ａの軸受部８１ｂの反対側に錠止片を設け、吸飲部９０のヒンジ機構の反対側に錠止受部を設けて、蓋体部８０が閉止時に引っ掛かる構造としてもよい。
【００５７】
ペットボトルＢ内の飲料の吸引は先の実施例と同様であり、使用後の洗浄に際しても部品を紛失するようなことはない。
【符号の説明】
【００５８】
１０、４０、７０  吸飲装置
２０、５０、８０  蓋体部
３０、６０、９０  吸飲部
３０ａ、６０ａ、９０ａ  吸引管
３０ｃ、６０ｃ、９０ｃ  ストロー取付部
３０ｇ、６０ｆ、９０ｅ  逆流防止弁
Ｓ  ストロー
Ｂ  ペットボトル
【図１】
2015160669.tif 000003
【図２】
2015160669.tif 000004
【図３】
2015160669.tif 000005
【図４】
2015160669.tif 000006
【図５】
2015160669.tif 000007
【図６】
2015160669.tif 000008
【図７】
2015160669.tif 000009
【図８】
2015160669.tif 000010
【図９】
2015160669.tif 000011
【図１０】
2015160669.tif 000012
【図１１】
2015160669.tif 000013
【図１２】
2015160669.tif 000014
【図１３】
2015160669.tif 000015